(57)【要約】【課題】  汚れ防止用シートが袋本体を構成する表フィルムや裏フィルムと密着することを防止し、従ってサンドイッチの具の移動に追随することができるサンドイッチ用包装袋及びサンドイッチ用包装袋の製造方法を提供する。【解決手段】  一端側が他端側よりも幅狭に形成された表フィルムと裏フィルムとの両側縁が熱溶着された袋本体内に設けられた汚れ防止用シートとを具備してなるサンドイッチ用包装袋において、汚れ防止用シートの表面と表フィルム及び裏フィルムの何れかの裏面との間に、防止用の空隙が設けられ、表フィルム及び裏フィルムの一端側のシール部から表フィルムと裏フィルムが夫々延設されて２枚の突出片が形成されており、前記汚れ防止用シートの一端側が突出片へ突設され、且つ該汚れ防止シートには、シール部を介して突出片とは反対側に切断線が設けられてなることを特徴とする。【選択図】    図１
2006082879.tif 000002
【特許請求の範囲】
【請求項１】
一端側が他端側よりも幅狭に形成された表フィルム(12)と裏フィルム(13)との両側縁(5,5) が熱溶着され且つ該表フィルム(12)及び裏フィルム(13)の前記一端側にシール部(3) を有し、更に他端側に開口部(4) を有して形成される袋本体(1) と、該袋本体(1) 内に設けられた汚れ防止用シート(6) とを具備してなるサンドイッチ用包装袋において、前記汚れ防止用シート(6) の表面と、表フィルム(12)及び裏フィルム(13)の何れかの裏面との間に、当接防止用の空隙が設けられてなり、前記表フィルム(12)及び裏フィルム(13)の一端側のシール部(3) から表フィルム(12)と裏フィルム(13)が夫々延設されて２枚の突出片が形成されており、前記汚れ防止用シート(6) の一端側が前記突出片へ突設され、且つ該汚れ防止シート(6) には、シール部(3) を介して突出片とは反対側に切断線(15)が設けられてなることを特徴とするサンドイッチ用包装袋。
【請求項２】
一端側が他端側よりも幅狭に形成された表フィルム(12)と裏フィルム(13)との両側縁(5,5) が熱溶着され且つ該表フィルム(12)及び裏フィルム(13)の前記一端側にシール部(3) を有し、更に他端側に開口部(4) を有して形成される袋本体(1) と、該袋本体(1) 内に設けられた汚れ防止用シート(6) とを具備してなるサンドイッチ用包装袋において、前記汚れ防止用シート(6) の表面と、表フィルム(12)及び裏フィルム(13)の何れかの裏面との間に、当接防止用の空隙が設けられてなり、前記汚れ防止用シート(6) の両端部は、表フィルム(12)及び裏フィルム(13)の何れかに貼着されており、且つ前記汚れ防止用シートには、袋本体(1) 内に収容されるサンドイッチの具に当接する当接部を含む領域を分離可能な切断線が設けられてなることを特徴とするサンドイッチ用包装袋。
【請求項３】
一端側が他端側よりも幅狭に形成された表フィルム(12)と裏フィルム(13)との両側縁が熱溶着され且つ該表フィルム(12)及び裏フィルム(13)の一端側にシール部(3) を有し、更に他端側に開口部(4) を有して形成される袋本体(1) と、該袋本体(1) に設けられる汚れ防止用シート(6) とを具備してなるサンドイッチ用包装袋の製造方法において、汚れ防止用シート(6) の両端部を表フィルム(12)及び裏フィルム(13)の何れかに貼着した後、前記汚れ防止用シート(6) を、袋本体(1) 内に収容されるサンドイッチの具に当接する当接部を含む領域に設けられた切断線(16)で切断することを特徴とするサンドイッチ用包装袋の製造方法。
【発明の詳細な説明】
【技術分野】
【０００１】
本発明は、サンドイッチを包装するサンドイッチ用包装袋及びサンドイッチ用包装袋の製造方法に関する。
【背景技術】
【０００２】
従来、サンドイッチを包装する包装袋本体は、形成されたポリプロピレン等の合成樹脂フィルムが２枚、台形状に形成された表フィルムと裏フィルムの先細に形成された一端部と両側部が熱シールされ、他端部がサンドイッチを投入すべく開放されて形成されている。
【０００３】
そして、このように形成された包装袋本体内には、サンドイッチの具が包装袋を形成するフィルムに張り付いて汚れることを防止するための、長方形状の汚れ防止用シートが設けられて、包装袋が形成されている。
【０００４】
尚、前記汚れ防止用シートは、その他端部が接着剤等で裏フィルムに貼着されており、汚れ防止用シートの裏フィルム側の面は、静電気により該裏フィルムに密着している。
【発明の開示】
【発明が解決しようとする課題】
【０００５】
しかし、このように汚れ防止用シートが裏フィルムに貼着されていると、上述のように、裏フィルムの裏面、即ち袋本体の内側の面が、汚れ防止用シートの表面、即ち裏フィルム側の面に密着する。換言すると、裏フィルムと汚れ防止用シートが密着して一体となっている。
従って、包装袋本体内にサンドイッチを投入したときにも、汚れ防止用シートが一旦サンドイッチの具に当接するとサンドイッチの具の動きに応じて汚れ防止用シートだけが動くことはなく、汚れ防止用シートは裏フィルムと一緒に動くことになる。
結果として、サンドイッチの具に汚れ防止用シートが沿わなくなるという問題がある。
【０００６】
本発明は、上記問題点を解決するためになされたもので、汚れ防止用シートが袋本体を構成する表フィルムや裏フィルムと密着することを防止し、従ってサンドイッチの具の移動に追随することができるサンドイッチ用包装袋及びサンドイッチ用包装袋の製造方法を提供することを課題とする。
【課題を解決するための手段】
【０００７】
本発明に係るサンドイッチ用包装袋は、一端側が他端側よりも幅狭に形成された表フィルム12と裏フィルム13との両側縁5,5 が熱溶着され且つ該表フィルム12及び裏フィルム13の一端側にシール部3 を有し、他端側に開口部4 を有して形成される袋本体1 と、該袋本体1 内に設けられた汚れ防止用シート6 とを具備してなるサンドイッチ用包装袋において、前記汚れ防止用シート6 の表面と、表フィルム12及び裏フィルム13の何れかの裏面との間に、当接防止用の空隙が設けられてなり、前記表フィルム12及び裏フィルム13の一端側のシール部3 から表フィルム12と裏フィルム13が夫々延設されて２枚の突出片が形成されており、前記汚れ防止用シート6 の一端側が前記突出片へ突設され、且つ該汚れ防止シート6 には、シール部3 を介して突出片とは反対側に切断線15が設けられてなることを特徴とする。
このように、前記汚れ防止用シート6 の表面と、表フィルム12及び裏フィルム13の何れかの裏面との間に当接防止用の空隙が設けられているので、サンドイッチを袋本体1 内に収容する際にも、汚れ防止用シート6 が表フィルムや裏フィルムに密着することを防止することができる。
【０００８】
また、前記表フィルム12及び裏フィルム13の一端側のシール部3 から表フィルム12と裏フィルム13が夫々延設されて２枚の突出片が形成され、前記汚れ防止用シート6 の一端側が前記突出片へ突設され、且つ該汚れ防止シート6 には、シール部3 を介して突出片とは反対側に切断線15が設けられることで、切断線で汚れ防止用シート6 を切断することもできる。従って切断線で切断した際に汚れ防止用シート6 が、例えばその幅方向等に自由に動くことができるので、汚れ防止用シート6 を確実に具に沿わせることができる。
【０００９】
本発明に係るサンドイッチ用包装袋は、一端側が他端側よりも幅狭に形成された表フィルム12と裏フィルム13との両側縁5,5 が熱溶着され且つ該表フィルム12及び裏フィルム13の一端側にシール部3 を有し、他端側に開口部4 を有して形成される袋本体1 と、該袋本体1 内に設けられた汚れ防止用シート6 とを具備してなるサンドイッチ用包装袋において、前記汚れ防止用シート6 の表面と、表フィルム12及び裏フィルム13の何れかの裏面との間に、当接防止用の空隙が設けられてなり、前記汚れ防止用シート6 の両端部は、表フィルム12及び裏フィルム13の何れかに貼着されており、且つ前記汚れ防止用シートには、袋本体1 内に収容されるサンドイッチの具に当接する当接部を含む領域を分離可能な切断線が設けられてなることを特徴とする。
このように、前記汚れ防止用シート6 の表面と、表フィルム12及び裏フィルム13の何れかの裏面との間に当接防止用の空隙が設けられているので、サンドイッチを袋本体1 内に収容する際にも、汚れ防止用シート6 が表フィルムや裏フィルムに密着することを防止することができる。また、サンドイッチを挿入する際には、汚れ防止用シート6 の両端部が袋本体1 に貼着されているので、汚れ防止用シート6 が貼着されている袋本体1 部分に張りをもたせることができ、従って袋本体1 の全体にコシをもたせることができる。また、汚れ防止用シート6 の折れを防止することもできる。
【００１０】
本発明に係るサンドイッチ用包装体の製造方法としての特徴は、一端側が他端側よりも幅狭に形成された表フィルム12と裏フィルム13との両側縁が熱溶着され且つ該表フィルム12及び裏フィルム13の一端側にシール部3 を有し、他端側に開口部4 を有して形成される袋本体1 と、該袋本体1 に設けられる汚れ防止用シート6 とを具備してなるサンドイッチ用包装袋の製造方法において、汚れ防止用シート6 の両端部を表フィルム12及び裏フィルム13の何れかに貼着した後、前記汚れ防止用シート6 を、サンドイッチの具に当接する当接部を含む領域に設けられた切断線16で切断する点にある。
このように、汚れ防止用シート6 の両端部を表フィルム12及び裏フィルム13の何れかに貼着した後、切断線16で切断すると、例えばサンドイッチを挿入するまで汚れ防止用シート6 を貼着しておき、サンドイッチを挿入すべく袋本体1 の開口部4 を開放したときに汚れ防止用シート6 を切断することで、サンドイッチを挿入する際に汚れ防止用シート6 が折れる等の不良を発生する可能性を低減することができる。
【発明の効果】
【００１１】
本発明に係るサンドイッチ用包装袋によれば、サンドイッチを包装袋内に収容する際にも、汚れ防止用シートが表フィルムや裏フィルムに密着することを防止することができ、従ってサンドイッチを容易に包装体内に収容することができる。
【発明を実施するための最良の形態】
【００１２】
以下、本発明のサンドイッチ用包装袋の参考例について図面に基づいて説明する。図１は本参考例に係るサンドイッチ用包装袋を示す一部破断斜視図であり、図２は図１のＡ−Ａ線断面図であり、図３は図１のＢ−Ｂ線断面図である。
【００１３】
図１において、1 は袋本体を示す。該袋本体1 は、例えばポリプロピレン等の合成樹脂フィルムに、必要に応じてその表面に装飾用等の印刷が施された表フィルム12と裏フィルム13とで構成され、該表フィルム12と裏フィルム13がその一端側で熱シールされてシール部3 を形成し、且つ側縁5,5 も熱シールされて袋本体1 が形成されている。また、表フィルム12と裏フィルム13の形状は、図１に示すように一方の端部が他端部よりも幅が狭く形成されている台形状から、幅広側（即ち、図１における下側の端部）の両側部に三角形20,20 部分が切り欠かれた、略台形状に形成されている。
前記表フィルム12及び裏フィルム13は、一端側のシール部3 から更に延設されて、夫々突出片12a 及び突出片13a を形成している（図１及び図３参照）。尚、袋本体1 の他端側は、開放された開口部4 となっている。
【００１４】
また、表フィルム12と裏フィルム13の一端側と両側縁5,5 が熱シールされて形成された袋本体1 には、サンドイッチの具が直接裏フィルム13に付着することを防止する、ポリプロピレン等の合成樹脂フィルム等で形成された略矩形状の汚れ防止用シート6 が設けられている。
【００１５】
ここで、汚れ防止用シート6 は、長手方向の長さが例えば２０ｃｍ、幅方向の長さが例えば７ｃｍ程度の矩形状に形成されており、該汚れ防止用シート6 において、長手方向、即ち図１においては上下方向両端縁から２．５ｃｍ程度内側、即ち中央側（換言すると、一端縁から他端縁に向かって２．５ｃｍ程度の位置）に折曲線8 が形成されている。そして、前記端縁から折曲線8 までの端部における所定位置、例えば、前記端縁と折曲線8 の略半分の位置で、且つ端部の両側に５ｍｍ×１０ｍｍ程度の大きさに熱シールされて裏フィルム13に貼着されて貼着部7,7 が形成されている（図１及び図２参照）。尚、図１においては、熱シールされた貼着部7,7 は、端部の両側付近で、端縁と折曲線8 の略半分の位置に設けられており、図１の上側の端部の貼着部は図示せず、下側の端部に設けられた貼着部のみ図示しているが、貼着部は両端部に設けられている。
【００１６】
上述の如く、汚れ防止用シート6 に折曲線8 が形成されることにより、図３に示すように、裏フィルム13の裏面、即ち袋本体1 内部側と、汚れ防止用シート6 の裏フィルム13側の表面との間には、少なくとも汚れ防止用シート6 の端部の厚さ分の空隙9 が形成される。
このように、空隙9 が形成されることにより、汚れ防止用シート6 と裏フィルム13が当接することを防止することができる。
【００１７】
このように、表フィルム12と裏フィルム13から形成される袋本体1 及び汚れ防止用シート6 から本参考例に係るサンドイッチ用包装袋が構成され、上述の如く形成されるサンドイッチ用包装袋には、平面視ほぼ直角三角形状のサンドイッチの斜辺が汚れ防止用シート6 に当接するように配置されて収容される。
【００１８】
尚、上記参考例においては、端縁から約２．５ｃｍ程度の長さまでを端部としたが、例えば汚れ防止用シートの長手方向の全長が２０ｃｍの場合、端部は、例えば１．５〜３．５ｃｍ程度の範囲であれば、汚れ防止用シートの表面と裏フィルムの袋本体内部側の表面との間に空隙を形成することができ、従って汚れ防止用シートと裏フィルムとが密着することを防止することができる。
【００１９】
また、上記参考例においては、裏フィルムと汚れ防止用シートの端部を四角形状の熱シールにより貼着したが、線状に熱シールしたり、また、接着剤やテープ等他の手段により貼着してもよい。
更に、貼着する位置も、上記参考例の如き端部の両側に限定されることなく、例えば端部の略中央や端縁に近い部分等適宜変更可能であり、貼着する箇所も上述の両側２カ所に限定されることなく、端部の略中央等に一カ所、又は３カ所以上等適宜変更可能であるし、貼着する面積も上記参考例に限定されず任意である。
【００２０】
更に、上記参考例においては、一端側に設けられたシール部3 から表フィルムと裏フィルムが更に延設されて突出片12a,13a が形成されていたが、本参考例には、前記突出片は必ずしも必要ではない。ただし、前記突出片が設けられていると、袋本体内に収容されたサンドイッチを食する際、突出片を把持して袋本体の他端側へ引っ張ることが容易になるという利点がある。
【００２１】
本発明のサンドイッチ用包装袋における汚れ防止用シートの一実施形態として、図４に示すものが考えられる。図４は、包装袋の一実施形態を示す一部破断斜視図である。
図４においては、上記参考例と同様、例えばポリプロピレン等の合成樹脂フィルムに、必要に応じてその表面に装飾用等の印刷が施された表フィルム12と裏フィルム13とで構成され、該表フィルム12と裏フィルム13がその一端側で熱シールされてシール部3 を形成し、且つ側縁5,5 も熱シールされて袋本体1 が形成されている。尚、袋本体1 の他端側は開放された開口部4 となっている。
また、袋本体1 内には例えばポリプロピレン等の合成樹脂フィルムから形成された汚れ防止用シート6 が設けられ、上記参考例と同様、一端縁から他端縁に向かって長手方向に約２．５ｃｍ程度の位置に折曲線8,8 が設けられている。更に、袋本体1 の一端側に設けられたシール部3 から表フィルムと裏フィルムが更に延設されて突出片12a,13a が形成されている。
【００２２】
更に、本実施形態においては、汚れ防止用シート6 の一端部に対して折曲線8 から約２ｍｍ程度他端部側に、切断を容易とするミシン目10を設けている。
本実施形態においても、図１と同様、汚れ防止用シート6 の一端縁から最も近接する折曲線8 までの端部は、その少なくとも一部が裏フィルム13に熱シールされる等して貼着されており、汚れ防止用シート6 が折曲線8 で折り曲げられている。
尚、汚れ防止用シート6 は、その両端部が折曲線8 で折り曲げられている。
【００２３】
そして、このように折り曲げられることで、上記参考例と同様、裏フィルム13の袋本体1 側表面と汚れ防止用シート6 の間に空隙が設けられ、従って裏フィルム13と汚れ防止用シート6 とが密着するのを防止することができる。
【００２４】
更に、例えば袋本体1 にサンドイッチを投入すべく、ブロアー等で袋本体1 の開口部4 から空気を送り込むと、空気の勢いで汚れ防止用シート6 に設けられたミシン目10が切断される。ミシン目10から汚れ防止用シート6 を切断すると、例えば汚れ防止用シート6 のその幅方向等に、自由に動くことができるので、サンドイッチの具の動きに汚れ防止用シート6 が追従しやすくなり、汚れ防止用シートがサンドイッチの具に沿いやすくなる。
ミシン目10の切断のタイミングは、上述に限定されず、例えばシール部3 を熱シールする前等、適宜変更可能である。
【００２５】
また、切断を容易とするためのミシン目10は、上記実施形態においては折曲線8 から２ｍｍ程度他端側に設けたが、ミシン目を設ける箇所は、折曲線8 に対して例えば０〜１０ｍｍ程度の範囲であれば、端部側であっても、他端側であってもよく、適宜変更可能である。要は、袋本体1 内に収容されるサンドイッチの具に当接する当接部を含む領域6aと、それ以外の領域6bを分離することができる位置であればよい。
しかし、０〜１０ｍｍ程度の範囲の折曲線8 の近傍であれば、切断された側の端部の見栄えがよいため好ましい。
【００２６】
尚、図４に示す実施形態においては、汚れ防止用シートに切断線としてミシン目を設けたが、切断線はミシン目に限定されることなく、例えばハーフカットやＶカット等、汚れ防止用シートを切断することが容易となるものであれば適宜変更可能である。
更に、図４においては、汚れ防止用シートのミシン目を、幅狭な端部、即ち図４の上側端部のみに設けたが、幅広な端部、即ち図４の下側端部にも設けてもよい。ただし、下側端部に設けた場合には、その位置は、上側端部と下側端部に設けたミシン目に挟まれた領域が、少なくともサンドイッチの具に当接する当接部を含むように設ける。
また、下側端部に設けられたミシン目は、サンドイッチを投入するために開口部4 からブロアー等で空気を送る際に容易に切断されないよう、上側端部のミシン目よりも切断が困難となるように形成することが好ましい。
【００２７】
このように、汚れ防止用シート6 の両端部を裏フィルム13に貼着し、サンドイッチを投入する際に汚れ防止用シート6 をミシン目10で切断すると、サンドイッチを自動包装することもでき、サンドイッチを包装袋に包装する速度を向上できる。
また、サンドイッチを投入する際に汚れ防止用シート6 をミシン目で切断すると、サンドイッチの投入前に汚れ防止用シート6 が折れ曲がる等の問題がなく、確実に汚れ防止用シートをサンドイッチの具に沿わせることができる。
【００２８】
次に、本発明に係るサンドイッチ用包装袋の他の実施形態について説明する。本実施形態に係るサンドイッチ用包装袋は、図５に示すように、汚れ防止用シートの一端側が、一部突出片12a,13a 側に突出するように構成している。図５は、本発明に係る包装袋の他の実施形態を示す一部破断平面図であり、図６は、図５のＡ−Ａ線断面図である。
本実施形態においては、図１と同様、略台形状に形成された表フィルム12と裏フィルム13がその一端側で熱シールされてシール部3 を形成し、且つ側縁5,5 も熱シールされて袋本体1 が形成されている。また、袋本体1 の一端側に設けられたシール部3 から表フィルムと裏フィルムが更に延設されて突出片12a,13a が形成されている。
更に、袋本体1 内には例えばポリプロピレン等の合成樹脂フィルムから形成された汚れ防止用シート6 が設けられている。汚れ防止用シート6 は、その一端側、即ち図５及び図６においては幅狭に形成された上側、例えば５〜１５ｍｍ程度が上記突出片12a,13a 側に突出してシート片6cを形成しており、汚れ防止用シート6 の他端側は、幅方向２カ所に貼着部7,7 が設けられ、該貼着部7,7 にて裏フィルム13に線状に熱シールされて貼着されている。
また、汚れ防止用シート6 において、袋本体1 のシール部3 から幅広側に約５〜２０ｍｍ程度の位置には、汚れ防止用シート6 の切断を容易とするための切断線としてミシン目15が設けられている。
【００２９】
本実施形態においては、上記参考例及び上記実施形態の如き汚れ防止用シート6 の折曲線は設けられていないが、図６に示すように、袋本体1 のシール部3 に汚れ防止用シート6 も熱シールされているので、裏フィルム13と汚れ防止用シート6 との間には空隙9 が発生する。従って、汚れ防止用シートを折り曲げなくとも、上記参考例及び上記実施形態と同様に裏フィルムと汚れ防止用シート間に空隙ができ、裏フィルムと汚れ防止用シートが密着することを防止することができる。
【００３０】
本発明に係る包装袋の別の実施形態として、図７を用いて説明する。図７は、本発明に係る包装袋の別の実施形態を示す一部破断平面図である。
図７においては、図１と同様、略台形状に形成された表フィルム12と裏フィルム13がその一端側で熱シールされてシール部3 を形成し、且つ側縁5,5 も熱シールされて袋本体1 が形成されている。また、袋本体1 の一端側に設けられたシール部3 から表フィルムと裏フィルムが更に延設されて突出片12a,13a が形成されている。尚、袋本体1 の他端側には、開放された開口部4 が設けられている。
更に、袋本体1 内には例えばポリプロピレン等の合成樹脂フィルムから形成された矩形状の汚れ防止用シート6 が設けられている。該汚れ防止用シート6 の両端から例えば２〜１０ｍｍ程度長手方向の内側には、切断線としてミシン目16,16 が設けられ、ミシン目16,16 間が、袋本体1 内に収容されるサンドイッチの具に当接する当接部を含む領域6aとなるように、汚れ防止用シート6 の長さが設定される。汚れ防止用シート6 のうち、領域6a以外の部分、即ち端縁からミシン目16までの部分は、領域6bであり、夫々の領域6bには、裏フィルム13と熱シールされた貼着部7,7 が設けられている。前記袋本体1 と汚れ防止用シート6 とで、本発明に係る包装袋が構成される。
【００３１】
このように汚れ防止用シート6 が裏フィルム13に貼着された状態にて開口部4 から空気を投入し、サンドイッチを袋本体1 内に挿入する際、例えば上側のミシン目16を切断すると、該ミシン目16で切断された領域6a及び下側の領域6bと裏フィルム13との間には空隙が発生する。従って、容易に汚れ防止用シート6 をサンドイッチの具に沿わせることが可能である。
また、このとき上側と下側の両方のミシン目16,16 を切断してもよい。
更に、ミシン目を切断するタイミングは、上述に限定されることなく、適宜変更可能である。要は、袋本体1 内にサンドイッチを投入する際に、汚れ防止用シート6 が裏フィルム13に密着しないよう、汚れ防止用シート6 と裏フィルム13間に空隙が設けられればよい。
【００３２】
このように、汚れ防止用シート6 の両端部が裏フィルム13に貼着されており、且つ前記汚れ防止用シートに切断線16が設けられていると、サンドイッチを挿入する際には、汚れ防止用シート6 の両端部が袋本体1 に貼着されているので、汚れ防止用シート6 が貼着されている袋本体1 部分に張りをもたせることができ、従って袋本体1 の全体にコシをもたせることができる。また、汚れ防止用シート6 の折れを防止することもできる。
【００３３】
また、サンドイッチを挿入するまで汚れ防止用シート6 を貼着しておき、サンドイッチを挿入すべく袋本体1 の開口部4 を開放したときに汚れ防止用シート6 を切断することで、サンドイッチを挿入する際に汚れ防止用シート6 が折れる等の不良が発生することを防止することができる。
【００３４】
上記図５及び図７に示す実施形態においては、汚れ防止用シートと裏フィルムとは、線状の貼着部で貼着されたが、貼着部の形状は図１に示した参考例の如き四角形状等に熱シールしたり、接着剤、粘着剤等の他の手段を用いて貼着してもよい。
【００３５】
上述の各実施形態に加えて、表フィルムを容易に開封する表フィルム開封手段として、表フィルムにカットテープを設けることも可能である。この表フィルム開封手段はカットテープに限定されることなく、例えば表フィルムにハーフカットを施してカット部を設けたり、表フィルムに方向性を有するフィルムを設けたり、表フィルムを方向性を有するフィルムで形成する等、適宜変更可能である。
【００３６】
また、汚れ防止用シートは、上述のポリプロピレンに限定されることなく、他の合成樹脂フィルムであってもよく、更にこのような合成樹脂フィルムにエンボス加工が施されているものであってもよい。
【００３７】
上記各実施形態においては、表フィルムと裏フィルムを、何れも一端が幅狭に形成された台形状から、幅広側の端部の両側部を三角形状に切り欠いた略台形状としたが、幅広側の端部が三角形状に切り欠かれない台形状であってもよく、更には、幅狭に形成された一端側が波形等の非直線形状であってもよい。要は、一端側が幅狭に形成されており、且つサンドイッチが収容可能な形状であれば、適宜変更可能である。
【００３８】
また、本発明においては、裏フィルムと汚れ防止用シートとの間に空隙が設けられるような構成であれば、適宜変更可能である。つまり、汚れ防止用シートを蛇腹に形成したり、汚れ防止用シートが裏フィルムに対して湾曲するように貼着する等して、汚れ防止用シートと裏フィルム間に空隙を設けたりすることも、本発明の意図する範囲内である。
【００３９】
尚、上記各実施形態においては、便宜上汚れ防止用シートを裏フィルムに貼着したが、表フィルムに汚れ防止用シートを貼着してもよいことは勿論である。
【図面の簡単な説明】
【００４０】
【図１】本発明のサンドイッチ用包装袋の参考例を示す一部破断斜視図。
【図２】図１のＡ−Ａ線断面図。
【図３】図１のＢ−Ｂ線断面図。
【図４】本発明のサンドイッチ用包装袋の一実施形態を示す一部破断斜視図。
【図５】本発明に係るサンドイッチ用包装袋の他の実施形態を示す一部破断平面図。
【図６】図５のＡ−Ａ線断面図。
【図７】本発明に係るサンドイッチ用包装袋の別の実施形態を示す一部破断平面図。
【符号の説明】
【００４１】
１    袋本体              ２    切断部
３    シール部            ４    他端部
５    側縁                ６    汚れ防止用シート
１２    表フィルム        １３    裏フィルム
【図１】
2006082879.tif 000003
【図２】
2006082879.tif 000004
【図３】
2006082879.tif 000005
【図４】
2006082879.tif 000006
【図５】
2006082879.tif 000007
【図６】
2006082879.tif 000008
【図７】
2006082879.tif 000009